(57)【要約】  【課題】  獣毛と先端をテーパー化した合成樹脂製筆毛とを混毛したものの場合、獣毛ゆえの欠点を合わせ持たざるを得ず、又、クリンプの波長が各々相違する多数の合成樹脂製筆毛よりなるものの場合、空間率が大きくなり易く、塗布時の肌当たりは良いが、腰が弱くなり、軽い力での化粧料の掻き取り性が劣るといった問題を有していた。また、４種のテーパー長さの違うポリエステル繊維よりなる筆穂は、全てストレートであって先端をテーパー化した繊維を用いるため穂先のまとまりは良いが、筆毛が密集過ぎて、化粧料の保持性が悪く、塗布時の肌当たりもハードになり使用感が悪いといった問題が残されていた。  【解決手段】  先先端がテーパー加工された合成樹脂製の筆毛を束ねて筆穂とし、該筆穂を軸に取り付けた化粧ブラシにおいて、この筆穂が表面に凹凸のある筆毛を含む２種類以上の筆毛を混毛した化粧ブラシ。  【選択図】  図１
2008295706.tif 000002
【特許請求の範囲】
【請求項１】
先端がテーパー加工された合成樹脂製の筆毛を束ねて筆穂とし、該筆穂を軸に取り付けた化粧ブラシにおいて、この筆穂が表面に凹凸のある筆毛を含む２種類以上の筆毛を混毛したことを特徴とする化粧ブラシ。
【請求項２】
前記筆毛の凹凸を研磨剤よって構成したことを特徴とする請求項１記載の化粧ブラシ
【請求項３】
前記研磨剤を錬り込んだ合成樹脂により筆毛を形成したことを特徴とする請求項１或いは請求項２記載の化粧ブラシ。
【請求項４】
前記筆穂にクリンプを有する筆毛を混毛したことを特徴とする請求項１〜請求項３の何れかに記載の化粧ブラシ。
【請求項５】
前記筆穂にストレート、及び、クリンプを有する筆毛を混毛したことを特徴とする請求項１〜請求項４の何れかに記載の化粧ブラシ。
【請求項６】
前記クリンプを有する筆毛は、波形高さが０．０２ｍｍ〜１．０ｍｍ、波ピッチ１．０ｍｍ〜６．０ｍｍの範囲としたことを特徴とする請求項１〜請求項５の何れかに記載の化粧ブラシ。
【請求項７】
前記筆穂の断面形状を楕円形、或いは、矩形状としたことを特徴とする請求項１〜請求項６の何れかに記載の化粧ブラシ。
【請求項８】
前記筆穂をその中心部の先端より基部に架けて湾曲させて構成したことを特徴とする請求項１〜請求項７の何れかに記載の化粧ブラシ。
【発明の詳細な説明】
【技術分野】
【０００１】
本発明は、表面が凹凸になった研磨剤入りの繊維を含む２種類以上の筆毛を混毛してなる筆穂であって、特に、化粧用ブラシなどのチークブラシやフェイスブラシ、アイブロー、パウダーブラシ、アイシャドウブラシなどに適している。
【背景技術】
【０００２】
従来、化粧ブラシなどの筆穂は、馬や鹿、豚、鼬、狸、栗鼠、貂、羊などの獣毛を使用しており、使用目的、使用者の好みなどによって筆穂の硬さ、太さなどを調整するために、上記獣毛の種類や組み合わせ方を変えて製品としている。一般的には、筆毛のテーパー形状が長くその表面状態が繊細でかつ肌当たりが柔らかい獣毛のみで作った筆穂の品質が良いとされている。特に、鼬毛、羊毛、貂毛がその代表である。しかし、獣毛は天然物であるため、品質が一定なものが得難いとか、任意の寸法形状のものとすることが困難であるとか、耐摩耗性が低いとかいった問題があり、更には、鼬、狸、貂の収穫量の減少による高価格化といった問題もある。
【０００３】
そこで、筆穂を形成する獣毛の代わりに合成樹脂製筆毛を用いることが行われている。合成樹脂製繊維の先端をテーパー化し、獣毛のような合成樹脂製筆毛となすためには、合成樹脂製繊維を溶解または分解する処理液に接触させる方法などが提案されている。（特許文献１参照、特許文献２参照）。
【０００４】
ところで、先端をテーパー化した合成樹脂製筆毛を用いた筆穂は、化粧料の保持力が低いといった問題や塗布した際、肌当たりがハードで使用感が悪いといった問題を有している。これを解決するために、獣毛と先端をテーパー化した合成樹脂製筆毛とを混毛してなる筆穂（特許文献３参照）や波状に皺曲（クリンプ）して、その波長が各々相違する多数の合成樹脂製筆毛よりなる筆穂（特許文献４参照）や、ポリエステル繊維を加水分解による加工法により得た４種のテーパー繊維を、テーパーの長い繊維を命毛に用い、その次にテーパーの長い繊維を喉に用い、テーパーの長さの中位の繊維を腹に用い、テーパーの短い繊維を腰に用いた筆穂（特許文献５参照）などが提案されている。
【特許文献１】特公昭４９−６１５９号公報（特許請求の範囲）。
【特許文献２】特公昭６０−３０５５６号公報（第３欄第２４行目〜第４欄１５行目）。
【特許文献３】特開昭６３−１０２９９８号公報（特許請求の範囲）。
【特許文献４】実開昭６２−１１４７８１号公報（実用新案登録請求の範囲）。
【特許文献５】実開昭５６−８３０７３号公報（実用新案登録請求の範囲）。
【発明の開示】
【発明が解決しようとする課題】
【０００５】
しかしながら、上記獣毛と先端をテーパー化した合成樹脂製筆毛とを混毛したものの場合、獣毛ゆえの欠点を合わせ持たざるを得ず、又、クリンプの波長が各々相違する多数の合成樹脂製筆毛よりなるものの場合、空間率が大きくなり易く、塗布時の肌当たりは良いが、腰が弱くなり化粧料の掻き取り性が劣るといった問題を有していた。また、４種のテーパー長さの違うポリエステル繊維よりなる筆穂は、全てストレートであって先端をテーパー化した繊維を用いるため穂先のまとまりは良いが、筆毛が密集過ぎて、化粧料の保持性が悪く、塗布時の肌当たりもハードになり使用感が悪いといった問題が残されていた。
本発明は、上記問題に鑑みなされたものであって、化粧料などを塗布する筆穂であって、化粧料の掻き取り性と吐出性が良好で、また、塗布時の肌当たりが柔らかい筆穂を提供することを課題とするものである。
【課題を解決するための手段】
【０００６】
本発明は、先端がテーパー加工された合成樹脂製の筆毛を束ねて筆穂とし、該筆穂を軸に取り付けた化粧ブラシにおいて、この筆穂が表面に凹凸のある筆毛を含む２種類以上の筆毛を混毛したことを要旨とするものである。
【発明の効果】
【０００７】
本発明に係る筆穂は、先端がテーパー加工された合成樹脂製の筆毛を束ねて筆穂とし、該筆穂を軸に取り付けた化粧ブラシにおいて、この筆穂が表面に凹凸のある筆毛を含む２種類以上の筆毛を混毛したので、化粧料の掻き取り性と吐出性が良好で、また、塗布時の肌当たりが柔らかい筆穂が得られる。
【発明を実施するための最良の形態】
【０００８】
以下、本発明について説明する。図１において、参照符号１は化粧用筆穂であり、この筆穂１は、前軸５に挿入固定され、この前軸５は、軸６の前端に挿入固定され筆を形成している。また、筆穂１は、先端をテーパー加工した表面に凹凸のある研磨材入り筆毛２と、先端をテーパー加工したクリンプを有する筆毛３と、先端をテーパー加工したストレートな筆毛４とを用いて長手方向に集束し、後端部を熱溶着や接着剤による接着などの方法により固着して形成したものである。
尚、筆穂の形状としては、その筆穂の断面形状を楕円形としても良く、或いは、矩形状としても良い。
【０００９】
筆毛に使用している合成樹脂製の繊維材質としては、ポリアミド（６、６−ナイロン、６−ナイロン、１２−ナイロン、６，１０−ナイロン、６，１２−ナイロンなど）ポリエステル（ポリエチレンテレフタレート、ポリブチレンテレフタレートなど）、ポリウレタン、ポリアクリロニトリル、アクリロニトリル−スチレン共重合物、アクリロニトリル−ブタジエン共重合物などを用いることができるが、各筆毛の材質は同一であっても異なっていても良い。
先端をテーパー加工した表面に凹凸のある研磨剤入り筆毛２は、市販品としては、タイネックスブラッシュフィラメント：Ｒｏｕｎｄタイプ  Ｔｅｘｔｕｒｉｚｅｄ  Ｆｉｌａｍｅｎｔシリーズ（材質：ナイロン、米国デュポン社製）が挙げられる。
【００１０】
前記合成樹脂製繊維の先端をテーパー化し筆毛となすには、前記したように、処理液による方法が好ましく、具体的一例としては、ポリアミドに対してメタクレゾールと塩化カルシウム−メタノール溶液との混和液、ポリエステルに対して水酸化ナトリウム水溶液などの組み合わせが挙げられる。但し、必ずしもこの方法に限定されるものではなく、例えば、合成樹脂製繊維に熱延伸を与えてテーパー状に引き伸ばしたり、グラインダー研磨など機械的にテーパー化するなどの他の方法を採用しても良い。
【００１１】
筆穂１に用いる筆毛の径（直径）は、製造用途又は大きさ（太さ及び長さ）によっても異なるが、本発明に係る化粧用の筆穂１における筆毛２、３、４は、０．０５〜０．１０ｍｍのものを用いることが好ましい。尚、ここでいう筆毛の径とは、テーパー加工されていない部分の径をいうものである。
【００１２】
ここで、前記表面に凹凸のある研磨剤７入り筆毛２を使用する目的は、化粧料の掻き取りを良くする目的で使用するものである。その状態としては、筆毛となるフィラメントに種々のさまざまな大きさの研磨剤７が練り込まれているものが好ましい。その理由としては、扁平断面図と非扁平断面部を交互に形成した凹凸のある筆毛の場合、化粧料を掻き取ることはできるが、化粧料が扁平断面部と非扁平断面部の間に入りこみ、化粧料の吐き出しが極わずかではあるが悪くなってしまう場合がある。又、表面に研磨剤７を付着させても良いが、先端にテーパー加工を施すと表面に付着させた研磨剤が取れてしまいテーパー部の化粧料の掻き取り性が悪くなってしまう危険性があるため、テーパー加工した後に研磨剤を付着させても良い。しかし、いずれの場合においても、従来技術に比し、掻き採り性などは著しく向上する。ちなみに、研磨剤の大きさとしては、各々の形状が不安定ではあるが、対角線上で０．００２ｍｍ〜０．１０ｍｍの範囲のものが好ましい。大きすぎると肌に接触したときに痛みを感じてしまい、また、小さすぎると掻き採り性が悪くなってしまう。
【００１３】
ここで、筆毛となる繊維に研磨剤を練り込む１例であるが、成形樹脂の中に研磨剤を入れ攪拌しながら樹脂に錬り込み、押し出し成形などの手段によって練り込まれた繊維を形成する手段がある。
また、筆毛の表面に研磨剤を付着させる１例としては、コロイド液に研磨剤を入れ攪拌して、その中に繊維を浸透させ、８０℃程度で焼き付ける方法や、研磨剤を繊維に吹き付けた後、乾燥させてからコーティング剤で固定する方法と言った手段があるが、研磨剤の脱落を極力避けるために、研磨剤を吹き付けた後にコーティング剤で固定する手段が好ましい。
更に、筆毛の表面に直接凹凸８を形成しても良い。その凹凸８を形成する１例としては、エンボス加工などがあるが、押し出し成形時に成形された繊維を歯車によって挟み込み、その歯車によって繊維の表面に凹凸８を形成する手段がある。その凹凸の高低差としては、前記研磨剤の大きさと同様に０．００２ｍｍ〜０．１０ｍｍの範囲が好ましい。
尚、筆毛２は、直径が０．０５〜０．１０ｍｍの範囲が好ましく、この範囲であれば何種類使用しても良い。
【００１４】
クリンプを有する筆毛３は、塗布時の化粧料の保持性及び肌当たりを柔らかくする目的のために使用するものであって、そのクリンプ状態としては種々のものが採用できる。その直径としては、０．０５ｍｍ〜０．１０ｍｍ程度が好ましい。その理由は、直径が０．０５ｍｍに満たないとテーパー加工上テーパーが形成されていない粗い毛が混入することがあり、直径が０．１０ｍｍを超えると塗布時の肌当たりがハードになり使用感が悪くなるからである。
尚、筆毛３のクリンプのピッチＰは、１．０ｍｍ〜６．０ｍｍのものを、クリンプ高さＨは、０．０２ｍｍ〜１．０ｍｍのものを用いることが好ましい。又、尚、筆毛の直径Ｄが０．０５〜０．１０ｍｍの範囲であれば、何種類使用しても良い。
【００１５】
ストレートな筆毛４は、塗布時の腰安定と筆穂のまとまりを良くする目的で使用するものである。その直径としては、０．０５ｍｍ〜０．１０ｍｍ程度のものが好ましい。その理由としては、直径が０．０５ｍｍに満たないとテーパー加工上、そのテーパーが形成されていない粗い毛が混入することがあり、直径が０．１０ｍｍを超えると塗布時の肌当たりがハードになり使用感が悪くなるからである。
【００１６】
本発明の化粧用筆穂を製造するに当たっては、上記表面に凹凸のある研磨剤入り繊維を含む２種類の筆毛を少なくとも混毛し、後端を溶着、接着又は、後部を糸などで縛って筆毛の脱落を防止して筆穂となす訳であるが、混毛された筆穂は、表面に凹凸のある筆毛２とクリンプを有する筆毛３とストレートな筆毛４がお互いに均一に配列されていることが好ましい。
【００１７】
（実施例）
以下、実施例を説明する。
図１は、本発明の化粧用筆穂の使用例である筆を示すものである。参照符号１は、化粧用筆穂であり、後述する筆毛２，３、４を混毛し、その後部を溶着したものである。化粧用筆穂１は、前軸５に挿入固定され、この前軸５は、後軸６の前端に挿入固定され筆を形成している。
筆毛は、先端をテーパー加工した表面に凹凸のある筆毛２と、先端をテーパー加工したクリンプを有する筆毛３と、ストレートな筆毛４を用いるが、他の条件を表１に示す。
【００１８】
【表１】
2008295706.tif 000003
【００１９】
実施例１〜１３
表２に実施例１〜１３、比較例１〜の筆穂の筆毛の混毛を示す。
【００２０】
【表２】
2008295706.tif 000004
【００２１】
上記実施例１〜１３及び比較例１〜７の化粧用筆穂を用いて図１のように筆（チークブラシ）を形成し、化粧料の含み、塗布時の肌当り、穂先のまとまりについてアンケート調査をおこなった。
塗布試験（アンケート調査）
方法：任意に抽出した女性にチークブラシの使用性についてアンケート調査を実施した。
【００２２】
【表３】
2008295706.tif 000005
【００２３】
表３からも判るように、化粧料の掻き取り性と吐出性が良好で、また、塗布時の肌当たりが柔らかい筆穂が得られた。
【図面の簡単な説明】
【００２４】
【図１】本考案の一実施例の穂先を装着した筆の正面図である。
【図２】各筆毛の拡大模式図である。
【図３】（ａ）筆毛に研磨剤を練り込んだ拡大模式図。    （ｂ）筆毛に研磨剤を付着させた拡大模式図。    （ｃ）筆毛に凹凸を形成した拡大模式図。
【図４】クリンプ繊維の拡大模式図である。
【図５】（ａ）筆穂の先端変形例を示す正面図    （ｂ）筆穂の先端変形例を示す上面図
【図６】（ａ）筆穂の先端変形例を示す正面図    （ｂ）筆穂の先端変形例を示す上面図
【符号の説明】
【００２５】
１      筆穂
２      先端をテーパー加工した表面に凹凸のある筆毛
３      先端をテーパー加工したクリンプ有する筆毛
４      先端をテーパー加工したストレートな筆毛
５      前軸
６      後軸
７      研磨剤
８      凹凸
【図１】
2008295706.tif 000006
【図２】
2008295706.tif 000007
【図３】
2008295706.tif 000008
【図４】
2008295706.tif 000009
【図５】
2008295706.tif 000010
【図６】
2008295706.tif 000011